【手続補正書】
【提出日】平成23年12月1日(2011.12.1)
【手続補正１】
【補正対象書類名】特許請求の範囲
【補正対象項目名】全文
【補正方法】変更
【補正の内容】
【特許請求の範囲】
【請求項１】
ウェブサイトへのユーザアクセスを制御するためのコンピュータによって実行される方法であって、
ウェブサイトの利用者に関連付けられたアカウントにアクセスするためにクライアントからリクエストを受け取ることと、
前記ウェブサイト及び前記利用者に関連付けられたウェブサイト使用法規定であって、前記アカウントの管理者によって確立された前記ウェブサイト使用法規定を特定することと、
前記アカウントへのアクセスがウェブサイト使用法規定の少なくとも一部に基づいて認められるかどうかを決定することと、
前記アカウントへのアクセスがウェブサイト使用法規定の少なくとも一部に基づいて認められるとの決定に応じて、前記利用者及び前記アカウントの前記管理者に知られていない、前記利用者と前記ウェブサイトとに関連付けられた制限された認証証明書を前記クライアントへ提供すること
を具える方法。
【請求項２】
前記アカウントへのアクセスが認められるかどうかを決定することは、
前記ウェブサイト使用法規定によって指定されたウェブサイト使用法パラメータを特定することと、
前記アカウントへのアクセスが認められるかどうかを決定するためにウェブサイト使用法パラメータを評価すること
を具える、コンピュータによって実行される請求項１の方法。
【請求項３】
前記ウェブサイト使用法パラメータは、前記アカウントへのユーザアクセスが認められる時刻、前記アカウントへのユーザアクセスが認められる割り当て時間、又は前記アカウントへのユーザアクセスが認められる個々の回数のうちの少なくとも一つを指定するものである、コンピュータによって実行される請求項２の方法。
【請求項４】
さらに、
前記アカウントへのアクセスが前記ウェブサイト使用法規定の少なくとも一部に基づいて認められないとの決定に応じて、前記アカウントへのアクセスを認めず、エラーメッセージをクライアントへ提供すること
を具える、コンピュータによって実行される請求項１の方法。
【請求項５】
前記制限された認証証明書は前記アカウントへのパスワードを含む、コンピュータによって実行される請求項１の方法。
【請求項６】
さらに、
前記アカウントへのアクセスが認められるとの決定に応じて、ウェブサイトに関連するログアウトメカニズムを決定することと、ここで、前記ログアウトメカニズムは前記ウェブサイトの前記アカウントから前記利用者をログアウトするための前記ウェブサイトのウェブページへの参照を含み、
前記クライアントに前記決定されたログアウトメカニズムを提供することと
を具える、コンピュータによって実行される請求項１の方法。
【請求項７】
クライアントからウェブサイトへのユーザアクセスを制御するためにコンピュータによって実行されるプログラムであって、
コンピュータに、
ウェブサイトでアカウントにアクセスするためのユーザリクエストを検出する手順と、
前記アカウントの管理者によって確立されたウェブサイト使用法規定がウェブサイトで利用者が該アカウントにアクセスすることを認めるかどうかの指示を、ウェブサイト使用法サーバにリクエストする手順と、
ウェブサイト使用法規定が該アカウントへのアクセスを認めるとの前記ウェブサイト使用法サーバの決定に応じて、前記利用者及び前記アカウントの前記管理者に知られていない当該アカウントのための制限された認証証明書を該ウェブサイト使用法サーバから受け取る手順と、
前記ウェブサイトにログインするために前記制限された認証証明書を前記ウェブサイトに提供する手順と、
前記ウェブサイトに関係するウェブサイト使用法規定を執行する手順と、
を実行させるためのコンピュータプログラム。
【請求項８】
前記ウェブサイト使用法規定が前記アカウントへのさらなるアクセスを認めないとの前記ウェブサイト使用法サーバの決定に応じて、前記ウェブサイト使用法サーバから受け取った前記ウェブサイトのログアウトページをロードすることによって、前記ウェブサイトから利用者をログアウトする手順をさらにコンピュータに実行させるように構成されている、請求項７のコンピュータプログラム。
【請求項９】
さらに、前記ウェブサイト使用法規定の少なくとも一部に基づいて、一度に、ブラウザセションを終了させることによって、前記ウェブサイトにおける前記アカウントから利用者をログアウトする手順をコンピュータに実行させるように構成されている、請求項８のコンピュータプログラム。
【請求項１０】
さらに、利用者が前記制限された認証証明書を決定することを防ぐために、前記ウェブサイトのためのログアウト手順をコンピュータに実行させるように構成されている、請求項８のコンピュータプログラム。
【請求項１１】
さらに、利用者が前記アカウントにアクセスすることを中止することに応じて、前記ウェブサイトに関連するデータクリーンアップ行動をコンピュータに実行させるように構成されている、請求項７のコンピュータプログラム。
【請求項１２】
さらに、前記アカウントへのアクセスが認められないとの前記ウェブサイト使用法サーバの決定に応じて、前記アカウントへのアクセスを認めず、該ウェブサイト使用法サーバからエラーメッセージを受け取る手順をコンピュータに実行させるように構成されている、請求項７のコンピュータプログラム。
【請求項１３】
さらに、
利用者が前記制限された認証証明書に関連する制限されたウェブページにアクセスしようと試みることを検出する手順と、
前記制限されたウェブページへのアクセスを阻止する手順と、
をコンピュータに実行させるように構成されている、請求項７のコンピュータプログラム。
【請求項１４】
さらに、利用者が前記認証証明書を決定するのを防ぐようなやり方で前記ウェブサイトに前記制限された認証証明書を自動的に提供する手順をコンピュータに実行させるように構成されている、請求項７のコンピュータプログラム。
【請求項１５】
ウェブサイトへのユーザアクセスを制御するためのコンピュータによって実行されるシステムであって
コンピュータプロセッサと、
コンピュータ実行可能コードを記憶するコンピュータ読み取り可能な記憶媒体とを具え、
前記コンピュータ実行可能コードは、前記コンピュータプロセッサに、
前記ウェブサイトの利用者に関連付けられたアカウントにアクセスするためのリクエストをクライアントから受け取る手順と、
前記ウェブサイト及び前記利用者に関連付けられたウェブサイト利用法規定であって、前記アカウントの管理者によって確立された前記ウェブサイト使用法規定を特定する手順と、
前記ウェブサイト使用法規定の少なくとも一部に基づいて前記アカウントへのアクセスが認められるかどうかを決定する手順と、
前記ウェブサイト使用法規定の少なくとも一部に基づいて前記アカウントへのアクセスが認められるとの決定に応じて、前記利用者及び前記アカウントの管理者に知られていない、前記利用者及び前記ウェブサイトに関連付けられた制限された認証証明書を前記クライアントに提供する手順と、
を実行させることを特徴とするシステム。
【請求項１６】
前記コンピュータ実行可能コードは、前記コンピュータプロセッサに、さらに、
前記ウェブサイト使用法規定によって指定されたウェブサイト使用法パラメータを特定する手順と、
前記アカウントへのアクセスが認められるかどうかを決定するために前記ウェブサイト使用法パラメータを評価する手順と、
を実行させるように構成されていることを特徴とする請求項１５のシステム。
【請求項１７】
前記ウェブサイト使用法パラメータを評価することは、前記アカウントへのユーザアクセスが認められる時刻を現時刻と比較することを含む、請求項１６のシステム。
【請求項１８】
前記コンピュータ実行可能コードは、前記コンピュータプロセッサに、さらに、
前記ウェブサイトに関連付けられたログアウトメカニズムを決定する手順と、
クライアントへログアウトメカニズムを提供する手順と、
を実行させるように構成され、
前記ログアウトメカニズムは、前記アカウントへのアクセスが認められるとの決定に応じて、利用者を前記ウェブサイトの該アカウントからログアウトするための前記ウェブサイトのウェブページへの参照を含む、請求項１５のシステム。
【請求項１９】
前記制限された認証証明書は、前記制限された認証証明書を隠す方法で提供されるものである、コンピュータによって実行される請求項１の方法。
【請求項２０】
前記制限された認証証明書を前記クライアントへ提供することは、
前記クライアントのウェブブラウザが、前記利用者に前記ウェブサイトのためのログインフォームを示すことなく、前記制限された認証証明書を前記ウェブサイトに自動的に提供するために前記ウェブブラウザと相互に作用すること
を具える、コンピュータによって実行される請求項１の方法。